(57)【要約】【課題】  携帯性に優れ、長時間連続して給電可能な燃料電池を備えた携帯端末装置用クレイドル及び携帯端末システムを提供する。【解決手段】  携帯端末装置用クレイドルは、携帯電話機２０を装着すると共に、携帯電話機２０に電力を供給する燃料電池を内蔵したクレイドル本体部１１と、燃料を充填した燃料カートリッジ１２から構成され、燃料カートリッジ１２は、携帯電話機２０のヒンジ部２３側のクレイドル本体部１１の端面１１−１と当接して配設された構成とする。【選択図】  図１
2005143033.tif 000002
【特許請求の範囲】
【請求項１】
携帯端末装置に装着して、該携帯端末装置に電力を供給する携帯端末装置用クレイドルであって、
燃料電池と、前記燃料電池から携帯端末装置に電力の供給を制御する電力供給制御手段と、前記携帯端末装置と対峙する第一の面に携帯端末装置を保持する固定手段とを有するクレイドル本体部と、
前記燃料電池に供給する燃料を充填する燃料カートリッジと、よりなり、
前記燃料カートリッジは、クレイドル本体部の第二の面に当接して配設されることを特徴とする携帯端末装置用クレイドル。
【請求項２】
前記携帯端末装置は、マイクと操作キーとを有する端末装置固定部と、スピーカと表示部と該端末装置固定部に設けられたヒンジ部を中心にして開位置と折り畳み位置との間で回動する回動部とを有する端末装置可動部とよりなり、
前記端末装置固定部が前記固定手段によりクレイドル本体部に装着され、
前記クレイドル本体部の第二の面は、前記可動部が開位置における前記マイク側あるいはスピーカ側の端面であることを特徴とする請求項１記載の携帯端末装置用クレイドル。
【請求項３】
前記第二の面に燃料をクレイドル本体部に供給する燃料供給路が設けられていることを特徴とする請求項１または２記載の携帯端末装置用クレイドル。
【請求項４】
前記燃料電池は、燃料極と、固体電解質と、空気極とよりなり、該空気極は、前記クレイドル本体部の第一の面側又は／及び該第一の面とは反対側の面側に設けられていることを特徴とする請求項１〜３のうち、いずれか一項記載の携帯端末装置用クレイドル。
【請求項５】
前記クレイドル本体部の第一の面側に前記空気極が設けられ、
前記第一の面と、前記携帯端末装置の該第一の面と対峙する外面との間に空隙部が設けられていることを特徴とする請求項４記載の携帯端末装置用クレイドル。
【請求項６】
前記電力供給制御手段は、燃料電池の出力を検出し、所定の出力値を超えた場合は燃料電池からの電力の供給を遮断する燃料電池保護回路を備えることを特徴とする請求項１〜５のうち、いずれか一項記載の携帯端末装置用クレイドル。
【請求項７】
前記クレイドル本体部は外部電源が接続される外部電源接続部を更に備え、
前記電力供給制御手段は外部電源が接続されているか否かを検出する電圧検出部と、該電圧検出部が所定の電圧値以上の電圧を検出した場合は、外部電源からの電力を携帯端末装置に供給する電源切換部を備えることを特徴とする請求項１〜６のうち、いずれか一項記載の携帯端末装置用クレイドル。
【請求項８】
携帯端末装置と、該携帯端末装置に電力を供給する請求項１〜７のうち、いずれか一項記載の携帯端末装置用クレイドルとよりなる携帯端末システム。
【請求項９】
前記携帯端末装置は、
マイクと、操作キーと、を有する端末装置固定部と、
スピーカと、表示部と、該端末装置固定部に設けられたヒンジ部を中心にして開位置と折り畳み位置との間で回動する回動部と、を有する端末装置可動部と、
よりなることを特徴とする請求項８記載の携帯端末システム。
【発明の詳細な説明】
【技術分野】
【０００１】
携帯端末装置に電力を供給する燃料電池を備えた携帯端末装置用クレイドル及び携帯電話システムに関し、特に通話時に携帯端末装置に装着して電力を供給する携帯端末装置用クレイドルに関する。
【背景技術】
【０００２】
近年、携帯端末装置は様々な機種及び機能が開発され、特に携帯端末装置の一種である携帯電話機は、動画の送受信やゲームプレイ等の多機能化や、通話・通信が可能な地域の拡大が図れ、山岳地帯でさえも通話が可能になってきている。
【０００３】
このように、多機能化や使用機会の増加に伴って、携帯電話機の消費電力量が増加している。携帯電話機は内蔵するリチウムイオン電池などの二次電池に商用電源からパワーアダプタを用いて二次電池に充電し、二次電池から供給された電力により通話等をすることができる。
【０００４】
しかし、消費電力量が増加しているため、外出先で二次電池の電池切れが起こる場合があり、店頭にある携帯電話機の充電機や、乾電池を専用のアダプターで携帯電話機に接続して充電を行って使用可能としている。
【０００５】
ところで、携帯電話機用の電力供給源として燃料電池を用いることが提案されている。燃料電池は、負極にアルコール水溶液などの燃料を供給し、電子とプロトンを生成し、プロトンを電解質膜を通じて正極に送り込み、正極に空気中の酸素を供給してプロトンと酸素を反応させることで発電を行う。燃料電池の特徴は、燃料及び酸素を補給することで長時間連続発電が可能となることである。
【０００６】
下記特許文献１には、携帯電話機に装着する燃料電池を備えたクレイドルが開示されている。なお、クレイドルとは、例えば、携帯電話機を充電する際に使用される充電ケース等を含む受話器台のことである。燃料電池は、円筒状の燃料カートリッジをクレイドルに設けられた開口部にその全体を挿入し、燃料が燃料カートリッジから燃料電池に供給されて発電が行われ、発電された電力が携帯電話機に供給されるようになっている。
【特許文献１】米国特許第６３２６０９７号明細書
【発明の開示】
【発明が解決しようとする課題】
【０００７】
しかしながら、上記クレイドルでは燃料カートリッジの燃料を消費した場合は新しい燃料カートリッジに交換する必要がある。特に長時間連続して使用する場合は一旦通話を中止し、燃料カートリッジを交換して燃料を燃料電池に送り込み再度通話先に接続しなければならず、かなり操作が煩雑となるという問題がある。
【０００８】
一方、燃料電池及び大型化した燃料カートリッジを腰に装着し、電源ケーブルにより携帯電話機に接続して電力を供給する手法も考えられる。しかし、このようなケーブル接続の手法では携帯電話機の携帯性を著しく損ねるという問題がある。
【０００９】
そこで、本発明は上記問題点に鑑みてなされたもので、本発明の目的は、携帯性に優れ、長時間連続して給電可能な燃料電池を備えた携帯端末装置用クレイドル及び携帯端末システムを提供することである。
【課題を解決するための手段】
【００１０】
本発明の一観点によれば、携帯端末装置に装着して、該携帯端末装置に電力を供給する携帯端末装置用クレイドルであって、燃料電池と、前記燃料電池から携帯端末装置に電力の供給を制御する電力供給制御手段と、前記携帯端末装置と対峙する第一の面に携帯端末装置を保持する固定手段とを有するクレイドル本体部と、前記燃料電池に供給する燃料を充填する燃料カートリッジと、よりなり、前記燃料カートリッジは、クレイドル本体部の第二の面に当接して配設されることを特徴とする携帯端末装置用クレイドルが提供される。
【００１１】
本発明によれば、クレイドル本体部の第一の面には携帯端末装置が装着され、第一の面以外の第二の面に燃料カートリッジが設けられている。したがって、燃料カートリッジが占める空間的自由度が高いので、携帯端末装置の使用時間に応じて燃料カートリッジの容積を選択することができる。その結果、携帯端末装置を長時間稼働した場合であっても（電池切れ）電力切れを防止することができる。また、クレイドル本体部は携帯端末装置に直接装着されるのでケーブル接続の煩雑さがなく携帯性に優れている。
【００１２】
前記携帯端末装置は、マイクと操作キーとを有する端末装置固定部と、スピーカと表示部と該端末装置固定部に設けられたヒンジ部を中心にして開位置と折り畳み位置との間で回動する回動部とを有する端末装置可動部とよりなり、前記端末装置固定部が前記固定手段によりクレイドル本体部に装着され、前記クレイドル本体部の第二の面は、前記可動部が開位置における前記マイク側あるいはスピーカ側の端面である構成としてもよい。携帯端末装置用クレイドルを携帯端末装置に装着した状態で通話をする際に把持するクレイドル本体部のマイク側あるいはスピーカ側の端面に燃料カートリッジが配設されているので、通話や操作の妨げになることはなく、かつ携帯端末装置の使用時間に応じた容積の燃料カートリッジを配設することができる。
【００１３】
本発明の他の観点によれば、携帯端末装置と、該携帯端末装置に電力を供給する上記いずれかの携帯端末装置用クレイドルとよりなる携帯端末システムが提供される。本発明によれば、長時間連続使用が可能であり携帯性に優れる携帯端末システムを実現することができる。
【００１４】
前記携帯端末装置は、マイク及び操作キーを有する端末装置固定部と、スピーカと液晶表示部を有し、該端末装置固定部に設けられたヒンジ部を中心にして開位置と折り畳み位置との間で回動する端末装置可動部とよりなる構成としてもよい。携帯時は端末装置可動部を折り畳み位置にしてコンパクトな形態にして持ち運びができ携帯性に優れる。また、開位置にして操作しても、燃料カートリッジが通話や操作の妨げになることはない。
【発明の効果】
【００１５】
本発明によれば、長時間連続使用が可能であり携帯性に優れる携帯端末装置用クレイドル及び携帯端末システムを実現することができる。
【発明を実施するための最良の形態】
【００１６】
図１は本発明の一実施の形態に係る携帯電話機用クレイドルに携帯電話機を装着した様子を示す斜視図である。本実施の形態では携帯端末装置として携帯電話機を例に挙げて説明する。
【００１７】
図１を参照するに、本実施の形態に係る携帯電話機用クレイドル１０には携帯電話機２０が装着され、外部電源、例えば商用電源に接続するためのパワーアダプタ３０（ＡＣ−ＤＣ変換器）が接続可能な構成とされている。
【００１８】
携帯電話機２０は、操作キー２４及びマイク２５が内面２１−１に設けられた携帯電話機本体部２１と、液晶表示部２６及びスピーカ２７が内面２２−１に設けられた携帯電話機可動部２２とがヒンジ部２３により接続され、ヒンジ部２３を中心にして携帯電話機可動部２２が回動可能となっている。携帯電話機２０は、携帯電話機用クレイドル１０に装着した状態で、携帯電話機本体部２１の内面２１−１と携帯電話機可動部２２の内面２２−１が対峙するように折り畳むことができる。また、携帯電話機可動部２２を開いた位置にして、液晶表示部２６を見ながら操作キー２４を押して操作することができ、あるいは、携帯電話機用クレイドル１０の本体部（クレイドル本体部１１）を把持して、通常の携帯電話機のように通話することができる。なお、液晶表示部２６は、液晶に限定されず有機ＥＬ（エレクトロルミネッセンス）等を用いて表示するものであってもよい。
【００１９】
携帯電話機用クレイドル１０は、大略、燃料電池（図示されず）を内蔵したクレイドル本体部１１と、燃料を充填した燃料カートリッジ１２から構成されている。燃料カートリッジ１２は、携帯電話機のヒンジ部２３（携帯電話機可動部２２が開位置のスピーカ２７）側に、クレイドル本体部１１の端面１１−１と当接して配設されている。また、マイク２５側の端面１１−２にはパワーアダプタ３０を接続する外部電源接続部１３が配設されている。クレイドル本体部１１はその内面１１−３を携帯電話機本体部２１の外面２１−２と対峙するようにして携帯電話機本体部２１を保持するようになっている。なお、以下説明の便宜のため、燃料カートリッジ１２側をクレイドル本体部１１の後部、外部電源接続部１３が配設されている側をクレイドル本体部１１の前部と称する。
【００２０】
図２は、本実施の形態に係る携帯電話機用クレイドルの平面図、図３は携帯端末装置の外面からの斜視図である。図２及び図３を参照するに、クレイドル本体部１１の内面１１−３には、携帯電話機本体部２１の側部に設けられた凹部２８と係合するための係止部材１４ａ、１４ｂや携帯電話機２０に電力を供給するための接続コネクタ１５が設けられている。内面１１−３の前部に設けられた係止部材１４ａは、マイク２５側に設けられた２つの凹部２８と係合するようになっている。係合部分を拡大して示す図４（Ａ）を参照するに、係止部材１４ａは、その基部にバネ１６が設けられ、図面左方向、すなわち携帯電話機本体部２１の方向にばね応力が印加されるようになっている。係止部材１４ａの爪部１４ａ−１は凹部２８の下側の内壁にかかり、携帯電話機が上方向に容易に移動できないようになっている。
【００２１】
図２及び図３に戻り、クレイドル本体部１１の内面１１−３の後部に設けられた係止部材１４ｂはヒンジ部２３側に設けられた２つの凹部２８と係合するようになっている。係止部材１４ｂは、係合部分を拡大して示す図４（Ｂ）を参照するに、図４（Ａ）と同様に、係止部材１４ｂの爪部１４ｂ−１は凹部２８の下側の内壁にかかり、携帯電話機本体部２１が上方向に容易に外れないようになっている。さらに係止部材１４ｂには、爪部１４ｂ−１に接続され、クレイドル本体部１１の側部１１−４から突出する凸部１４ｂ−２が設けられている。図４（Ｃ）を参照するに、凸部１４ｂ−２を押し下げることにより、爪部１４ｂ−１が凹部２８から離れ、携帯電話機本体部２１をクレイドル本体部１１から外すことができる。
【００２２】
携帯電話機２０をクレイドル本体部１１に装着する際は、クレイドル本体部１１の内面１１−３の前部に、携帯電話機２０のマイク２５側を押し込み、前部の係止部材１４ａの爪部１４ａ−１と携帯電話機本体部２１の凹部２８を係合させ、次いで、携帯電話機２０をクレイドル本体部１１の内面１１−３に押しつけるようにして、携帯電話機本体部２１のヒンジ２３側を下方に移動させて、後部の係止部材１４ｂの爪部１４ｂ−１と携帯電話機本体部２１の凹部２８を係合させる。
【００２３】
また、携帯電話機２０を取り外す際には、先ずクレイドル本体部１１の後部の２つの係止部材１４ｂの凸部１４ｂ−２を同時に下方に押し込み係止部材１４ｂを開く方向に移動させることにより係合を解除して、携帯電話機本体部１１のヒンジ部１３側をクレイドル本体部１１から取り外し、次いで、斜め後方に携帯電話機２０を移動することにより、クレイドル本体部１１の前部の２つの係止部材１４ａとの係合を解除する。
【００２４】
このように、携帯電話機２０は携帯電話機本体部２１がクレイドル本体部１１と係合して固定されているので、クレイドル本体部１１を把持して携帯電話機２０の操作キーを押すなどの操作をしたり通話をしたりしても、携帯電話機本体部２１とクレイドル本体部１１が互いに外れることがなく安心して使用することができる。また、携帯電話機本体部２１がクレイドル本体部１１に固定されているので、携帯電話機可動部２２を折り畳んでコンパクトな形態で持ち運びすることができる。
【００２５】
図５は、携帯電話機を装着した携帯電話機用クレイドルの概略断面図である。図５を参照するに、クレイドル本体部１１は、後部端面１１−１に当接した燃料カートリッジ１２から燃料が供給される燃料導入路３１と、燃料の導入を遮断する燃料遮断部３２と、燃料導入路３１と接続された燃料室３４を有する燃料電池３３と、燃料電池３３によって発電された電力の携帯電話機２０への供給を制御する制御部４１と、図１に示すパワーアダプタ３０が接続され、外部電源から電力が供給される外部電源接続部１３と、携帯電話機２０に電力を供給するための接続コネクタ１５などから構成されている。
【００２６】
燃料カートリッジ１２は、クレイドル本体部１１の後部の端面１１−１に当接して嵌合により固定されている。燃料カートリッジ１２の燃料送出口１２ａは凸状になっており、他方、クレイドル本体部１１の端面１１−１には凹部１１−１ａが互いに嵌合するようになっている。
【００２７】
図６は、燃料カートリッジをクレイドル本体部に取り付ける様子を示す拡大斜視図である。ここで、燃料カートリッジ１２を取り付ける位置に注目する。図６を参照するに、燃料カートリッジ１２の燃料送出口１２ａは、クレイドル本体部１１の後部の端面１１−１に設けられた凹部１１−１ａに挿入して固定される。このような位置に燃料カートリッジ１２を取り付けることによって、燃料カートリッジの形状を図６に示すＸ方向、すなわち後部方向に拡大することができるので、燃料カートリッジ１２の容積の選択の自由度が高くなる。このような燃料カートリッジ１２を装着しても、通話の際や操作キーを押す際に把持するクレイドル本体部１１に対して、燃料カートリッジ１２は離隔して配設されているので、操作の妨げになることはない。携帯電話機２０を長時間連続使用する場合は、容積の大きな、例えば後部方向に長い燃料カートリッジ１２を装着することができるので、通話の途中で電力切れ（電池切れ）を防止することができる。
【００２８】
なお、携帯性を著しく損なわない程度であれば燃料カートリッジ１２をクレイドル本体部１１に係合する係止手段を更に設けてもよい。また、燃料カートリッジ１２の形状は図６に図示したものに限定されず、Ｘ方向に対して垂直な方向、すなわち幅あるいは高さ方向に膨らんだ形状でもよい。燃料カートリッジ１２の容積を増大することができる。
【００２９】
更に、燃料カートリッジ１２の燃料送出口１２ａは、図６に示すように略円形でもよく、開口面積が大きな幅の広い長楕円形としてもよい。開口面積を広く設定することで燃料の送出と空気の導入を同時に行えるようにして、燃料供給を容易とすることができる。なお、複数の燃料送出口を設けてもよい。
【００３０】
図５に戻り、燃料送出口１２ａと燃料導入路３１との間には、燃料遮断部３２が設けられている。燃料遮断部３２には、例えば上下に移動可能なシャッター状のバルブが設けられ、手動により上下して燃料遮断部３２の開閉を行う。燃料遮断部３２は、燃料導入路３１の燃料の流動を遮断し、特に、燃料室３４の燃料が燃料カートリッジ１２に逆流することを防止する。
【００３１】
燃料カートリッジ１２から燃料を燃料電池３３の燃料室３４に導入する手法としては、例えば、手で振って燃料カートリッジ１２から燃料を燃料室３４に導入する手法が挙げられる。燃料が例えばメタノール水溶液の場合は、燃料極３５においてメタノールはＣＯ2、プロトン及び電子に変換されるので、メタノールが消費されて燃料室３４内のメタノール水溶液の体積は順次減少し、燃料室３４内に空間が形成される。燃料導入路３１に設けた燃料遮断部３２を開いて、燃料カートリッジ１２が上になるようにクレイドル本体部１１を立てて、手で振ることによって燃料を燃料室３４の空間に導入する。このようにして順次燃料を補給することができる。なお、クレイドル本体部１１の側壁１１−４を透明な板により形成して燃料室３４内の燃料の量を可視化して燃料残量が容易に分かるようにしてもよく、また、発電効率の低下をモニターできるようにしてもよい。燃料切れを防止することができる。
【００３２】
また、図示されないがマイクロポンプを燃料導入路３１に設けて、燃料を燃料室３４に順次補給してもよい。マイクロポンプとしては、ポンプユニットの微小化と低消費電力化が課題となるが、例えば、隔膜をＤＣモーター等により往復運動させて、吸入時は吸入弁のみを開いて燃料を隔膜により仕切られた滞留部に導入し、吐出時には吐出弁のみを開いて隔膜により滞留部の燃料を押し出すことにより、燃料の送出を行うものを用いてもよい。燃料室３４のメタノール水溶液を常時補充することができ燃料量の減少に起因する発電効率の低下を防止することができる。
【００３３】
燃料電池３３は、燃料室３４の上方及び下方にそれぞれ燃料電池セルが設けられ、燃料電池セルは燃料室３４側から燃料極３５／固体電解質膜３６／空気極３８（薄層なのでまとめて図示する。）が積層されなり、クレイドル本体部１１の外側、すなわちクレイドル本体部の内面１１−３及び外面１１−５に向かって空気極３８が設けられている。燃料極３５及び空気極３８はそれぞれ配線３９により制御部４１に接続され、発電により生じた電力が制御部４１に供給される。
【００３４】
燃料極３５及び空気極３８は、ステンレスなど耐食性の高い合金のメッシュからなる集電体と、ＰｔやＰｔ−Ｒｕ合金微粒子からなる厚さ５０μｍ〜３００μｍ程度の触媒層が塗布されたカーボンペーパが積層されたもので、触媒層は固体電解質膜３６に接するようになっている。固体電解質膜３６はプロトン導電性の高分子材料よりなり、例えば、デュポン社製のナフィオンＮ−１１５（商品名）等を用いることができる。燃料極３５側では燃料室３４から燃料のメタノール水溶液（例えば、メタノール１０ｖｏｌ％水溶液）が供給され、触媒層の触媒表面でＣＨ3ＯＨ＋Ｈ2Ｏ→ＣＯ2＋６Ｈ+＋６ｅ−の反応が生じる。発生したプロトンは固体電解質膜３６を伝導し、電子は接続された外部回路（制御部４１等）を流れ、空気極３８に到達する。空気極３８側には空気中の酸素が供給され、触媒層の触媒表面で、３／２Ｏ2＋６Ｈ+＋６ｅ-→３Ｈ2Ｏの反応を生じる。
【００３５】
空気極３８が対峙するクレイドル本体部１１の内面１１−３及び外面１１−５には多数の開口が設けらることが好ましい。例えば、図２に示すように、内面１１−３の隔壁には多数の円形の開口部１１−３ａが設けられている。この開口部から取り入れられた空気中の酸素が空気極３８での反応に寄与する。
【００３６】
図５に示すように、空気の取り入れの円滑化のため、クレイドル本体部１１の内面１１−３とそれに対峙する携帯電話機本体部２１の外面２１−２との間には０．５ｍｍ〜５ｍｍ（好ましくは２ｍｍ〜４ｍｍ）の高さｈの空隙が設けられることが好ましい。０．５ｍｍより小さいと空気の流入し難くなり、５ｍｍを超えると厚さが大となって、コンパクト性が低下する。
【００３７】
図７は、本実施の形態に係る携帯電話機用クレイドル及び携帯電話機を示すブロック図である。図７を参照するに、携帯電話機２０には、クレイドル本体部１１に内蔵の燃料電池３３、あるいは、クレイドル本体部１１に接続された電圧変換回路３０（図１に示すパワーアダプタ３０に相当する。）を介して外部電源から電力が供給される構成となっており、携帯電話機２０においてその電力は内蔵二次電池５１の充電、あるいは携帯電話の通話等を行うための負荷部５２の稼働ために使用される。
【００３８】
クレイドル本体部１１では、燃料電池３３の出力は、ＦＣ保護回路４２を介して電源切換回路４３に接続されている。一方、外部電源が接続された電圧変換回路３０が外部電源接続部１３を介して電源切換回路４３に接続されている。
【００３９】
図８は、電源切換回路の電源切換え動作を示すフロチャートである。図７及び図８を参照するに、電圧検出回路４４は電圧変換回路３０の出力側の電圧を検出して、外部電源が接続されているか否かを判定する（Ｓ１００）。電圧変換回路３０の出力側の電圧が所定の電圧Ｖｏより大きい場合は、外部電源が接続されかつ所定の電圧に変換されていると判断して、電源切換回路４３を外部電源側が接続されるように切り換える（Ｓ１０２）。また、電圧変換回路３０の出力側の電圧が所定の電圧Ｖｏより小さい場合は、外部電源が接続されていないか、あるいは所定の電圧に変換されていないと判断して、電源切換回路４３を燃料電池３３側が接続されるように切り換える（Ｓ１０４）。このような構成により、外部電源が接続されている場合は燃料電池３３からの電力供給を遮断して燃料の浪費を防止することができる。なお、外部電源が接続されているか否かを常時あるいは所定の時間毎に判定するようにしてもよい。電圧変換回路３０が接続された時に外部電源が接続されているか否かを判定するようにしてもよい。
【００４０】
電源切換回路４３は携帯電話コネクタ１５を介して携帯電話機２０の内蔵二次電池５１あるいは負荷部５２に接続される。携帯電話機２０の電源が切られている状態や待ち受けの状態では、外部電源あるいは燃料電池３３から内蔵二次電池５１に充電が行われる。
【００４１】
図９は、ＦＣ保護回路の動作を示すフロチャートである。図７及び図９を参照するに、ＦＣ保護回路４２において、燃料電池からの供給電力量を検出し所定の供給電力量Ｐ0を超えているどうかを判定する（Ｓ１１０）。燃料電池３３からの供給電力量が所定の供給電力量Ｐ0を超えている場合は、ＦＣ保護回路４２により電源切換回路４３への接続を遮断して、燃料電池３３の電力の供給を停止する（Ｓ１１２）。一方、燃料電池３３からの供給電力量が所定の供給電力量Ｐ0以下の場合は、ＦＣ保護回路４２を導通として燃料電池からの電力を供給する。
【００４２】
図１０は、ＦＣ保護回路の一例を示す図である。図１０を参照するに、ＦＣ保護回路４２は、燃料電池の出力側Ａと電源切り換え回路の入力側Ｂとの間にＦＥＴ４８を設け、ＦＥＴ４８のドレイン−ソース間の内部抵抗（オン抵抗）及びドレイン・ソース電流により生ずるＡＢ間の電位差ＶBA（＝オン抵抗×ドレイン・ソース電流）を電圧検出回路４５により検出する。電位差ＶBAが所定の供給電力量Ｐ0に相当する電位差（＝供給電力量Ｐ0×オン抵抗／燃料電池３３の起電圧）を超えた場合は、ＯＮ−ＯＦＦ電圧発生回路４６により、ＦＥＴ４８のゲート電圧を変化させて、ＦＥＴ４８をＯＦＦとする。ＯＮ−ＯＦＦ電圧発生回路４６は、ＦＥＴ４８をＯＦＦした後は、所定時間経過後に再び電圧検出回路４５を起動させ、電位差ＶBAを検出するようにしてもよい。なお、ＦＣ保護回路４２は上記の回路に限定されず、消費電力を検知して判定する公知の方法を用いてもよい。
【００４３】
例えば、携帯電話機用クレイドル１０を携帯電話機２０に装着した状態で携帯電話機２０を使用する場合は、負荷部５２の消費電力が燃料電池の所定の供給電力量を超える場合がある。例えば、動画を再生・送信等を行う場合である。かかる場合、燃料電池３３が誤動作を起こすおそれがあり、ＦＣ保護回路４２を設けることにより、かかる誤動作を回避することができる。なお、燃料電池からの電力の供給が停止された場合は、携帯電話機２０の負荷部５２は内蔵二次電池５１から電力の供給を受けるので通話等に支障が発生することはない。
【００４４】
以上本発明の好ましい実施の形態について詳述したが、本発明は係る特定の実施の形態に限定されるものではなく、特許請求の範囲に記載された本発明の範囲内において、種々の変形・変更が可能である。
【００４５】
例えば、上記実施の形態では外部電源から電力の供給を受けられる例を示したが必須ではなく、燃料電池からの電力供給のみでも構わない。
【００４６】
また、燃料はメタノール水溶液の濃度は１０ｖｏｌ％に限定されず、例えば、５ｖｏｌ％〜６９ｖｏｌ％であってもよい。さらに、メタノールに限定されず、ジメチルエーテル（ＤＭＥ）、エタノール、エチレングリコール等であってもよい。
【００４７】
さらに、図５に示す燃料電池３３は、燃料室３４の上下に燃料電池セルを設けたが、いずれか一方でもよい。また、出力電圧を増加させるために、燃焼電池セルは分割されて電気的に直列に接続されていてもよく、出力側に昇圧回路を設けてもよい。
【００４８】
なお、以上の説明に関して更に以下の付記を開示する。
（付記１）  携帯端末装置に装着して、該携帯端末装置に電力を供給する携帯端末装置用クレイドルであって、
燃料電池と、前記燃料電池から携帯端末装置に電力の供給を制御する電力供給制御手段と、前記携帯端末装置と対峙する第一の面に携帯端末装置を保持する固定手段とを有するクレイドル本体部と、
前記燃料電池に供給する燃料を充填する燃料カートリッジと、よりなり、
前記燃料カートリッジは、クレイドル本体部の第二の面に当接して配設されることを特徴とする携帯端末装置用クレイドル。
（付記２）  前記携帯端末装置は、マイクと操作キーとを有する端末装置固定部と、スピーカと表示部と該端末装置固定部に設けられたヒンジ部を中心にして開位置と折り畳み位置との間で回動する回動部とを有する端末装置可動部とよりなり、
前記端末装置固定部が前記固定手段によりクレイドル本体部に装着され、
前記クレイドル本体部の第二の面は、前記可動部が開位置における前記マイク側あるいはスピーカ側の端面であることを特徴とする付記１記載の携帯端末装置用クレイドル。
（付記３）  前記第二の面に燃料をクレイドル本体部に供給する燃料供給路が設けられていることを特徴とする付記１または２記載の携帯端末装置用クレイドル。
（付記４）  前記燃料供給路は、燃料カートリッジに設けられた雄形のコネクタと、本体部の端面に形成された雌形のコネクタが嵌合して形成されてなることを特徴とする付記３記載の携帯端末装置用クレイドル。
（付記５）  前記燃料供給路に、該燃料供給路の開閉を行うバルブが設けられていることを特徴とする付記３または４記載の携帯端末装置用クレイドル。
（付記６）  前記燃料供給路に、燃料を燃料電池に供給するポンプが設けられていることを特徴とする付記３〜５のうち、いずれか一項記載の携帯端末装置用クレイドル。
（付記７）  前記燃料電池は、燃料極と、固体電解質と、空気極とよりなり、該空気極は、前記クレイドル本体部の第一の面側又は／及び該第一の面とは反対側の面側に設けられていることを特徴とする付記１〜６のうち、いずれか一項記載の携帯端末装置用クレイドル。
（付記８）  前記クレイドル本体部の第一の面側に前記空気極が設けられ、
前記第一の面と、前記携帯端末装置の該第一の面と対峙する外面との間に空隙部が設けられていることを特徴とする付記７記載の携帯端末装置用クレイドル。
（付記９）  前記電力供給制御手段は、燃料電池の出力を検出し、所定の出力値を超えた場合は燃料電池からの電力の供給を遮断する燃料電池保護回路を備えることを特徴とする付記１〜８のうち、いずれか一項記載の携帯端末装置用クレイドル。
（付記１０）  前記クレイドル本体部は外部電源が接続される外部電源接続部を更に備え、
前記電力供給制御手段は外部電源が接続されているか否かを検出する電圧検出部と、該電圧検出部が所定の電圧値以上の電圧を検出した場合は、外部電源からの電力を携帯端末装置に供給する電源切換え部を備えることを特徴とする付記１〜９のうち、いずれか一項記載の携帯端末装置用クレイドル。
（付記１１）  携帯端末装置と、該携帯端末装置に電力を供給する付記１〜１０のうち、いずれか一項記載の携帯端末装置用クレイドルとよりなる携帯端末システム。
（付記１２）  前記携帯端末装置は、
マイクと、操作キーと、を有する端末装置固定部と、
スピーカと、表示部と、該端末装置固定部に設けられたヒンジ部を中心にして開位置と折り畳み位置との間で回動する回動部と、を有する端末装置可動部と、
よりなることを特徴とする付記１１記載の携帯端末システム。
【図面の簡単な説明】
【００４９】
【図１】本発明の一実施の形態に係る携帯電話機用クレイドルに携帯電話機を装着した様子を示す斜視図である。
【図２】本実施の形態に係る携帯電話機用クレイドルの平面図である。
【図３】携帯端末装置の外面からの斜視図である。
【図４】クレイドル本体部と携帯電話機本体部との係合部分を拡大して示す図であり、（Ａ）はクレイドル本体部の前部、（Ｂ）はクレイドル本体部の後部、（Ｃ）は（Ｂ）に示す係合部分を解除する様子を示す図である。
【図５】携帯電話機を装着した携帯電話機用クレイドルの概略断面図である。
【図６】燃料カートリッジをクレイドル本体部に取り付ける様子を示す拡大斜視図である。
【図７】本実施の形態に係る携帯電話機用クレイドル及び携帯電話機を示すブロック図である。
【図８】電源切換回路の電源切換え動作を示すフロチャートである。
【図９】ＦＣ保護回路の動作を示すフロチャートである。
【図１０】ＦＣ保護回路の一例を示す図である。
【符号の説明】
【００５０】
１０      携帯電話機用クレイドル
１１      クレイドル本体部
１１−３  クレイドル本体部の内面
１１−４  クレイドル本体部の側面
１２      燃料カートリッジ
１３      外部電源接続部
１４ａ、１４ｂ      係止部材
１４ａ−１、１４ｂ−１  爪部
１５      接続コネクタ
２０      携帯電話機
２１      携帯電話機本体部
２１−１  携帯電話機本体部の内面
２１−２  携帯電話機本体部の外面
２２      携帯電話機可動部
２２−１  携帯電話機可動部の内面
２３      ヒンジ部
２４      操作キー
２５      マイク
２６      液晶表示部
２７      スピーカ
２８      凹部
２９      携帯電話機側電極
３０      パワーアダプタ
３１      燃料導入路
３２      燃料遮断部
３３      燃料電池
３４      燃料室
３５      燃料極
３６      固体電解質膜
３８      空気極
３９      配線
４１      制御部
４２      ＦＣ保護回路
４３      電源切換回路
４４、４５  電圧検出回路
４６      ＯＮ−ＯＦＦ電圧発生回路
５１      内蔵二次電池
５２      負荷部
【図１】
2005143033.tif 000003
【図２】
2005143033.tif 000004
【図３】
2005143033.tif 000005
【図４】
2005143033.tif 000006
【図５】
2005143033.tif 000007
【図６】
2005143033.tif 000008
【図７】
2005143033.tif 000009
【図８】
2005143033.tif 000010
【図９】
2005143033.tif 000011
【図１０】
2005143033.tif 000012